(57)【要約】  本発明は、加入者のユーザ・アプリケーションから別の加入者のユーザ・アプリケーションに、マルチメディア・メッセージ・サービスＭＭＳを使用してメッセージを伝送する方法に関し、上記メッセージは外部アプリケーションの形式で存在しており、そういうものとして、上記メッセージとともに伝送されるアプリケーション識別子によって識別される。本発明によれば、マルチメディア・メッセージ・サービスは、上記メッセージを伝送するために伝送システムとして外部アプリケーションによって使用される。上記メッセージは、アプリケーション識別子を使用してマルチメディア・メッセージ・サービスのネットワーク・エレメントによって識別され、変更されていない状態でマルチメディア・メッセージ・サービスによって伝送され、外部アプリケーションに転送される。本発明は、上記方法を実施する通信システム及び加入者端末にも関する。
2010541083.tif 000002
【特許請求の範囲】
【請求項１】
加入者のユーザ・アプリケーション（１０）から別の加入者のユーザ・アプリケーション（４４）に、マルチメディア・メッセージ・サービスＭＭＳを使用してメッセージ（４６）を伝送する方法であって、前記メッセージ（４６）が、外部アプリケーションの形式で存在しており、そういうものとしてアプリケーション識別子（４８）によって識別され、前記アプリケーション識別子（４８）は前記メッセージ（４６）とともに伝送され、前記マルチメディア・メッセージ・サービスは、前記メッセージを伝送するために伝送システムとして前記外部アプリケーションによって使用され、前記メッセージ（４６）は、そういうものとして、前記マルチメディア・メッセージ・サービスのネットワーク・エレメントによって識別され、ＭＭＳメッセージ（５０）により、変更なしで前記マルチメディア・メッセージ・サービスを介して前記外部アプリケーション（４２ａ、４２ｂ）に転送される方法。
【請求項２】
請求項１記載の方法であって、電子メール・アプリケーション（４２ａ、４２ｂ）は前記外部アプリケーションとして使用される方法。
【請求項３】
請求項１又は２に記載の方法であって、前記アプリケーション識別子（４８）は、前記ＭＭＳメッセージ（５０）のメッセージ・ヘッド（ヘッダ）に記憶される方法。
【請求項４】
請求項１乃至３のうちの一項に記載の方法であって、前記アプリケーション識別子（４８）によって分類される電子メール・メッセージ（４６）は、前記マルチメディア・メッセージ・サービスの前記ネットワーク・エレメントに電子メール・アプリケーションによって伝送され、外部アプリケーションの形式でメッセージとしてそこで認識され、前記ＭＭＳメッセージ（５０）において、前記マルチメディア・メッセージ・サービスを介して加入者の電子メール・ユーザ・アプリケーション（４２ａ、４２ｂ）に伝送される方法。
【請求項５】
請求項１乃至４のうちの一項に記載の方法であって、前記アプリケーション識別子（４８）によって分類されるメッセージ（４６）は、前記マルチメディア・メッセージ・サービスの前記ネットワーク・エレメント（１２）に前記マルチメディア・メッセージ・サービスを介して加入者の前記電子メール・ユーザ・アプリケーション（４２ａ、４２ｂ）によって伝送され、外部アプリケーションの形式でメッセージとして前記アプリケーション識別子（４８）によってそこで認識され、汎用ＭＭＳメッセージとして扱われないが、アドレス指定された受信者に転送される方法。
【請求項６】
請求項１乃至５のうちの一項に記載の方法であって、前記メッセージ（５０）はユーザ端末装置（３８ａ、３８ｂ）との間で伝送される方法。
【請求項７】
請求項６記載の方法であって、前記外部アプリケーションがインストールされたモバイル・ユーザ端末装置が前記ユーザ端末装置（３８ａ、３８ｂ）として使用される方法。
【請求項８】
マルチメディア・メッセージ・サービスを使用してメッセージ（４６、５０）を送信し、かつ／又は受信するためのユーザ端末装置（３８ａ、３８ｂ）であって、ＭＭＳユーザ・アプリケーション（４０ａ、４０ｂ）及び外部アプリケーション（４２ａ、４２ｂ）を含み、請求項１乃至７に記載の方法を実行するよう企図されたユーザ端末装置。
【請求項９】
請求項８記載のユーザ端末装置であって、前記外部アプリケーション（４２ａ、４２ｂ）は電子メール・アプリケーションであるユーザ端末装置。
【請求項１０】
請求項８記載のユーザ端末装置であって、ユーザ端末装置（３８ａ、３８ｂ）はモバイル・ユーザ端末装置であるユーザ端末装置。
【請求項１１】
別の加入者のユーザ・アプリケーションに前記マルチメディア・メッセージ・サービスＭＭＳを使用して加入者のユーザ・アプリケーション（４２ａ、４２ｂ）からメッセージ（４６，５０）を伝送する通信システムであって、請求項１乃至７記載の方法によって動作する、少なくとも１つのネットワーク・エレメント（１２）を含み、請求項８乃至１０のうちの一項によって動作する少なくとも１つのユーザ端末装置（３８ａ、３８ｂ）を含む通信システム。
【発明の詳細な説明】
【技術分野】
【０００１】
本発明は、マルチメディア・メッセージ・サービス（ＭＭＳ）を使用してメッセージを伝送する方法（特に、ＭＭＳに基づいてモバイル電子メール・サービスを実現する方法）に関する。
【背景技術】
【０００２】
モバイル通信技術では、マルチメディア・メッセージ・サービス（ＭＭＳ）を使用してモバイル通信サービスにより、例えば、画像、音響、ビデオ等などの各種データを伝送することが可能である。「データ」という語は、個々の構成部分又は構成要素から集約された全タイプの情報を含むものとする。前述の場合では、前述の個々の構成部分又は構成要素は、種々の標準によって構成し、編成し、かつ／又は符号化することが可能である。よって、この意味合いでは、種々の標準による種々の構成要素を含むデータは、マルチメディア・メッセージも構成し得る。この基礎を表す手法は、３ＧＰＰ  ＴＳ  ２２．１４０  ｖ６．１０．０  「Ｍｕｌｔｉｍｅｄｉａ  Ｍｅｓｓａｇｅ  Ｓｅｒｖｉｃｅ  （ＭＭＳ）；  Ｓｔａｇｅ  １」及び３ＧＰＰ  ＴＳ  ２３．１４０  ｖ６．１０．０  「Ｍｕｌｔｉｍｅｄｉａ  Ｍｅｓｓａｇｅ  Ｓｅｒｖｉｃｅ  （ＭＭＳ）；Ｆｕｎｃｔｉｏｎａｌ  Ｄｅｓｃｒｉｐｔｉｏｎ；  Ｓｔａｇｅ  ２」、及びオープン・モバイル・アライアンスの対応する刊行物３ＧＰＰ  Ｔ」という刊行物に記載されている。
【０００３】
一般に、今日のマルチメディア・メッセージング・システムは、数多くのインタフェースを介して、モバイル・ラジオ（例えば、ＨＬＲ）のネットワーク・エレメント、電子メール・サーバ、他の「パートナー」のＭＭＳリレイ／サーバと接続しており、通信する中央エレメントとしてのＭＭＳリレイ／サーバを含む。ＭＭＳを介した電子メール・メッセージの内容の伝送が可能である。ＭＭＳクライアント又はＭＭＳユーザ・エージェントへの転送の場合、ＭＭＳシステムによって受信された電子メール・メッセージには、ＭＭＳを使用したプロトコル形式への変換及びその逆が行われる。しかし、多くの場合、前述の変換が望ましくない。
【０００４】
更に、アプリケーション識別子の使用は、３ＧＰＰ刊行物及びオープン・モバイル・アライアンスに記載されており、これにより、モバイル端末上のアプリケーションを専らアクセスすることが可能になる。
【発明の概要】
【発明が解決しようとする課題】
【０００５】
本発明の目的は、マルチメディア・メッセージ・システムを介して、外部アプリケーションにメッセージを伝送することを可能にする方法、ユーザ端末及び通信システムの開示に基づいている。
【課題を解決するための手段】
【０００６】
本発明によれば、前述の目的は、請求項１の特性を有する方法、請求項８の特性を有するユーザ端末、及び請求項１１の特性を有する通信システムによって実現される。
【０００７】
本発明の好ましく、かつ効果的な実施例は、従属請求項に記載する。
【０００８】
マルチメディア・メッセージ・システムＭＭＳを使用することにより、加入者のユーザ端末から別の加入者のユーザ端末にメッセージを伝送するための、本発明による方法は、メッセージが、外部アプリケーションのプロトコル形式において存在しており、メッセージとともに伝送される、ユーザ識別情報により、そういうものとしてマーキングされているという点で区別される。マルチメディア・メッセージ・システムは、ユーザ識別情報により、メッセージがそういうものとして、マルチメディア・メッセージ・システムのネットワーク・エレメントによって識別され、不変状態でマルチメディア・メッセージ・システムを介して伝送され、外部アプリケーションに転送される。
【０００９】
本発明によれば、ユーザ識別情報の機構は、そういうものとして、外部アプリケーション（好ましくは、マルチメディア・サービスを使用して伝送される電子メール）の形式においてメッセージを分類するために使用される。このようにして、電子メールと汎用マルチメディア・メッセージとを区別し、それらを相応に扱うことが可能である。
【００１０】
３ＧＰＰ標準及びオープン・モバイル・アライアンスに記載されているように、個々のアプリケーション識別子が電子メールに割り当てられるということが本発明の基本的事項である。次いで、本発明によれば、前述のアプリケーション識別子は、ＭＭＳリレイ／サーバと、好ましくは、モバイル・ユーザ端末との間の通信、又は、端末特有の電子メールに使用される。
【００１１】
アプリケーション識別子を使用して電子メールとしてマーキングされたマルチメディア・メッセージがモバイル・ユーザ端末に達した場合、汎用ＭＭＳとして扱われず、ユーザ端末の別個の電子クライアントに転送され、これは、ユーザのための更なる処理を引き継ぐ。
【００１２】
ユーザ識別子が「電子メール」であるマルチメディア・メッセージがＭＭＳリレイ／サーバに伝送された場合、相応に扱われ、アドレス指定された電子メール受信者に転送される。
【００１３】
本発明によれば、アプリケーション識別子「電子メール」は、電子メール・アプリケーション・サーバ（ＭＭ７）としてふるまうＭＭＳサービス・プロバイダ、モバイル・ユーザ端末から割り当てることが可能であり、（メッセージがインターネット（ＭＭ３）を介してＭＭＳリレイ／サーバに送信された場合）ＭＭＳリレイ／サーバから割り当てることも可能である。
【００１４】
本発明による方法を実行することができるために、ユーザ端末は、例えば、アプリケーション識別子の認識、又はアプリケーション識別子を備えたメッセージの提供に適切であるＭＭＳ外部アプリケーション、及びＭＭＳユーザ・アプリケーションを含む。
【００１５】
一加入者のユーザ・アプリケーションから別の加入者のユーザ・アプリケーションに、マルチメディア・メッセージ・サービスＭＭＳにより、メッセージを伝送するための通信システムは、本発明の方法によって動作する少なくとも１つのネットワーク・エレメント、及び本発明の範囲内に記載のユーザ端末を含む。
【図面の簡単な説明】
【００１６】
【図１】ＭＭＳシステムの参照レイアウトを示す図である。
【図２】ＭＭＳシステムを介した、電子メール・アプリケーション・サーバからユーザ端末への電子メールの、本発明による伝送を略示した図である。
【発明を実施するための形態】
【００１７】
以下では、本発明は、添付図面の図により、更に詳細に説明する。本発明の更なる特性及び効果は、添付図面及びその説明から生じる。
【実施例】
【００１８】
図１は、ＭＭＳシステムの個々のエレメント間に使用されるインタフェース及びＭＭＳシステムの基本レイアウトを示す。
【００１９】
第１のインタフェースＭＭ１は、ユーザ端末上に供給される、ＭＭＳユーザ・エージェント又はＭＭＳクライアントとも呼ばれるＭＭＳユーザ・アプリケーション１０から、中央装置、ＭＭＳリレイ／サーバ１２に伝送され、その逆に伝送されるために使用される。ＭＭＳユーザ・アプリケーション１０は、ユーザがマルチメディア・メッセージを編集し、表示し、又は処理するアプリケーション層の機能である。ＭＭＳリレイ／サーバは、着信マルチメディア・メッセージ及び発信マルチメディア・メッセージを記憶し、転送し、別々の通信システム間でメッセージを伝送する役割を担う。
【００２０】
インタフェースＭＭ２は、ＭＭＳリレイ／サーバ１２の内部インタフェースである。
【００２１】
インタフェースＭＭ３は、外部通信及びメッセージ・システムのサーバ（例えば、外部電子メール・サーバ１４、外部ファックス・サーバ１６、外部ＭＭＳサーバ１８、又は他の外部サーバ）と、ＭＭＳリレイ／サーバ１２との間のマルチメディア・メッセージの伝送に使用される。
【００２２】
インタフェースＭＭ４は、種々の通信システムのＭＭＳリレイ／サーバ１２又は２２間のマルチメディア・メッセージの伝送に使用される。例えば、外部ＭＭＳリレイ／サー場２２は、更なるＭＭＳユーザ・アプリケーション２４へのメッセージの伝送の役割を果たし得る。
【００２３】
インタフェースＭＭ５は、ユーザ・レジスタ（例えば、ホーム・データ・バンクＨＬＲ２６）、ＭＭＳリレイ／サーバ１２間の通信に使用される。マルチメディア・メッセージの伝送に重要なユーザ・データは、前述のユ―ザ・ホーム・データ・バンク２６に記憶される。
【００２４】
インタフェースＭＭ６は、ＭＭＳリレイ／サーバ１２と、種々のＭＭＳユーザ・データ・バンク２８との間の接続である。
【００２５】
インタフェースＭＭ７は、ＭＭＳリレイ／サーバ１２からＭＭＳ付加価値アプリケーションへのマルチメディア・メッセージの伝送、及びその逆の伝送に使用される。前述の付加価値アプリケーション又は付加価値サービス３０は、ＭＭＳプロバイダ又はサードパーティの更なるサービス（例えば、支払いを必要とする画像、ビデオ、又は音楽データ・セットのダウンロード・サービス）である。
【００２６】
インタフェースＭＭ８は、ＭＭＳプロバイダの後処理システム３２及びＭＭＳリレイ／サーバ１２間でデータを接続するための伝送に使用される。
【００２７】
インタフェースＭＭ９は、ＭＭＳリレイ／サーバ１２と、オンライン・アカウンティング・システム３４との間のメッセージの伝送に使用される。
【００２８】
インタフェースＭＭ１０は、ＭＭＳリレイ／サーバ１２と外部メッセージ・サービス制御機能ＭＳＣＦ（すなわち、例えば、コール番号の変換を行ったメッセージ・サービス制御点３６）との間のＭＭＳ特有の情報の伝送に使用される。
【００２９】
ＭＭＳシステムでは、現在まで、ＭＭＳクライアント１０が、外部サーバ１４から電子メールを受信することが可能であった。前述の電子メールは当初、外部サーバ１４により、ＭＭＳリレイ／サーバ１２に送信され、そこでＭＭＳ特有形式に変換され、次いで、ユーザ・アプリケーション１０に送信されている。
【００３０】
図２は、本発明による方法による、電子メールの伝送の例を示す。外部電子メール・アプリケーション・サーバ１４は、ＭＭ７インタフェースを介してＭＭＳリレイ／サーバ１２と接続される。これは、付加価値アプリケーションの形式でＭＭＳシステムに外部電子メール・サーバが関連付けられるということを意味する。ＭＭＳリレイ／サーバ１２は、いくつかのＭＭＳユーザを処理する。各ＭＭＳユーザは、１つには、ＭＭＳユーザ・アプリケーション４０ａ及び４０ｂ、並びに、電子メール・ユーザ・アプリケーション４２ａ及び３２ｂを含むユーザ端末装置３８ａ、３８ｂを有する。ＭＭＳユーザ・アプリケーション４０ａ、４０ｂは、ＭＭ１インタフェースを介してリレイ／サーバ１２と通信するよう接続される。
【００３１】
電子メール・メッセージ４６は、電子メール端末４１から、一方又は両方のＭＭＳユーザ端末装置３８ａ、３８ｂに伝送されるものとする。当初、電子メール４６は、適切な伝送又はトランスポート・プロトコル（例えば、電子メールに使用されるＳＭＰＴ）を介して電子メール・アプリケーション・サーバ１４に伝送される。そこでは、電子メールが、ＭＭＳユーザ端末装置宛であることが判定される。電子メールはよって、電子メール・アプリケーション・サーバ１４により、ＭＭＳリレイ／サーバ１２によって伝送される。そこでは、本発明により、それ自身のアプリケーション識別子４８が電子メール・メッセージ４６に割り当てられ、アプリケーション識別子４８によって識別される電子メール・メッセージ４６がＭＭＳメッセージ５０にパッケージングされる。よって、ＭＭＳメッセージ５０は、電子メール・メッセージ４６の伝送コンテナとして使用される。電子メール・メッセージ４６及び関連付けられたアプリケーション識別子４８を含むこの特定のＭＭＳメッセージ５０は、ＭＭＳリレイ／サーバ１２により、ユーザ端末装置３８ａ又は３８ｂによって転送される。当初、特定メッセージ５０は、当該加入者のＭＭＳユーザ・アプリケーション４０ａ又は４０ｂによって受信される。アプリケーション識別子４８により、ＭＭＳユーザ・アプリケーション４０ａ又は４０ｂは、前述のＭＭＳメッセージ５０が、汎用のＭＭＳメッセージとして扱うべきでないが、電子メール・アプリケーションに転送されなければならない電子メール４６を含む旨を認識する。ＭＭＳユーザ・アプリケーション４０ａ、４０ｂは前述のメッセージ５０を当該電子メール・ユーザ・アプリケーション４２ａ、４２ｂに転送し、これらは、ユーザのための電子メール・メッセージ４６の更なる処理を引き継ぐ。
【００３２】
同じ処理が、ユーザ端末装置３８ａ、３８ｂから送出される電子メール・メッセージの場合にあてはまる。電子メール・メッセージは、電子メール・ユーザ・アプリケーションにより、ＭＭＳユーザ・アプリケーションに転送され、そこで、アプリケーション識別子によってマーキングされ、ＭＭＳメッセージにおいてパッケージングされ、これは後にＭＭＳシステムに送信される。ＭＭＳメッセージは、そういうものとして扱われるものでないが、アドレス指定された電子メール受信者に転送され、そこで、適切な電子メール・アプリケーションによって処理される。
【００３３】
参照符号のリスト
１０  ＭＭＳユーザ・アプリケーションＡ
１２  ＭＭＳリレイ／サーバ
１４  外部電子メール・サーバ
１６  外部サーバ
１８  外部サーバ
２０  外部サーバ
２２  外部ＭＭＳリレイ／サーバ
２４  ＭＭＳユーザ・アプリケーションＢ
２６  ホーム・データ・バンク  ＨＬＲ
２８  ＭＭＳ  ユーザ・データ・バンク
３０  ＭＭＳ付加価値アプリケーション
３２  後処理システム
３４  オンライン・アカウンティング・システム
３６  メッセージング・サービス制御機能
３８ａ、３８ｂ  ユーザ端末装置
４０ａ、４０ｂ  ＭＭＳユーザ・アプリケーション
４２ａ、４２ｂ  電子メール・ユーザ・アプリケーション
４４  電子メール端末
４６  電子メール・メッセージ
４８  アプリケーション識別子
５０  ＭＭＳメッセージ
【図１】
2010541083.tif 000003
【図２】
2010541083.tif 000004
【手続補正書】
【提出日】平成21年7月30日(2009.7.30)
【手続補正１】
【補正対象書類名】明細書
【補正対象項目名】全文
【補正方法】変更
【補正の内容】
【発明の詳細な説明】
【技術分野】
【０００１】
本発明は、マルチメディア・メッセージ・サービス（ＭＭＳ）を使用してメッセージを伝送する方法（特に、ＭＭＳに基づいてモバイル電子メール・サービスを実現する方法）に関する。
【背景技術】
【０００２】
モバイル通信技術では、マルチメディア・メッセージ・サービス（ＭＭＳ）を使用してモバイル通信サービスにより、例えば、画像、音響、ビデオ等などの各種データを伝送することが可能である。「データ」という語は、個々の構成部分又は構成要素から集約された全タイプの情報を含むものとする。前述の場合では、前述の個々の構成部分又は構成要素は、種々の標準によって構成し、編成し、かつ／又は符号化することが可能である。よって、この意味合いでは、種々の標準による種々の構成要素を含むデータは、マルチメディア・メッセージも構成し得る。この基礎を表す手法は、３ＧＰＰ  ＴＳ  ２２．１４０  ｖ６．１０．０  「Ｍｕｌｔｉｍｅｄｉａ  Ｍｅｓｓａｇｅ  Ｓｅｒｖｉｃｅ  （ＭＭＳ）；  Ｓｔａｇｅ  １」及び３ＧＰＰ  ＴＳ  ２３．１４０  ｖ６．１０．０  「Ｍｕｌｔｉｍｅｄｉａ  Ｍｅｓｓａｇｅ  Ｓｅｒｖｉｃｅ  （ＭＭＳ）；Ｆｕｎｃｔｉｏｎａｌ  Ｄｅｓｃｒｉｐｔｉｏｎ；  Ｓｔａｇｅ  ２」、及びオープン・モバイル・アライアンスの対応する刊行物３ＧＰＰ  Ｔ」という刊行物に記載されている。
【０００３】
一般に、今日のマルチメディア・メッセージング・システムは、数多くのインタフェースを介して、モバイル・ラジオ（例えば、ＨＬＲ）のネットワーク・エレメント、電子メール・サーバ、他の「パートナー」のＭＭＳリレイ／サーバと接続しており、通信する中央エレメントとしてのＭＭＳリレイ／サーバを含む。ＭＭＳを介した電子メール・メッセージの内容の伝送が可能である。ＭＭＳクライアント又はＭＭＳユーザ・エージェントへの転送の場合、ＭＭＳシステムによって受信された電子メール・メッセージには、ＭＭＳを使用したプロトコル形式への変換及びその逆が行われる。しかし、多くの場合、前述の変換が望ましくない。
【０００４】
更に、アプリケーション識別子の使用は、３ＧＰＰ刊行物及びオープン・モバイル・アライアンスに記載されており、これにより、モバイル端末上のアプリケーションを専らアクセスすることが可能になる。
【０００５】
米国特許出願公開２００７／１５６８１７号明細書は、本発明に最も近く、請求項１のプリアンブルに記載の、ＭＭＳシステムにおいてメッセージを伝送する方法を開示している。
【０００６】
技術仕様ＥＴＳＩ  ＴＳ  １２３  １４０  Ｖ６．１４．０  Ｒｅｌｅａｓｅ  ６（２００６−０９）は、とりわけ、マルチメディア・メッセージング・サービスＭＳＳを記載している。
【発明の概要】
【発明が解決しようとする課題】
【０００７】
本発明の目的は、マルチメディア・メッセージ・システムを介して、外部アプリケーションにメッセージを伝送することを可能にする方法、ユーザ端末及び通信システムの開示に基づいている。
【課題を解決するための手段】
【０００８】
本発明によれば、前述の目的は、請求項１の特性を有する方法、請求項７の特性を有するユーザ端末、及び請求項１０の特性を有する通信システムによって実現される。
【０００９】
本発明の好ましく、かつ効果的な実施例は、従属請求項に記載する。
【００１０】
マルチメディア・メッセージ・システムＭＭＳを使用することにより、加入者のユーザ端末から別の加入者のユーザ端末にメッセージを伝送するための、本発明による方法は、メッセージが、外部アプリケーションのプロトコル形式において存在しており、メッセージとともに伝送される、ユーザ識別情報により、そういうものとしてマーキングされているという点で区別される。マルチメディア・メッセージ・システムは、ユーザ識別情報により、メッセージがそういうものとして、マルチメディア・メッセージ・システムのネットワーク・エレメントによって識別され、不変状態でマルチメディア・メッセージ・システムを介して伝送され、外部アプリケーションに転送される。
【００１１】
本発明によれば、ユーザ識別情報の機構は、そういうものとして、外部アプリケーション（好ましくは、マルチメディア・サービスを使用して伝送される電子メール）の形式においてメッセージを分類するために使用される。このようにして、電子メールと汎用マルチメディア・メッセージとを区別し、それらを相応に扱うことが可能である。
【００１２】
３ＧＰＰ標準及びオープン・モバイル・アライアンスに記載されているように、個々のアプリケーション識別子が電子メールに割り当てられるということが本発明の基本的事項である。次いで、本発明によれば、前述のアプリケーション識別子は、ＭＭＳリレイ／サーバと、好ましくは、モバイル・ユーザ端末との間の通信、又は、端末特有の電子メールに使用される。
【００１３】
アプリケーション識別子を使用して電子メールとしてマーキングされたマルチメディア・メッセージがモバイル・ユーザ端末に達した場合、汎用ＭＭＳとして扱われず、ユーザ端末の別個の電子クライアントに転送され、これは、ユーザのための更なる処理を引き継ぐ。
【００１４】
ユーザ識別子が「電子メール」であるマルチメディア・メッセージがＭＭＳリレイ／サーバに伝送された場合、相応に扱われ、アドレス指定された電子メール受信者に転送される。
【００１５】
本発明によれば、アプリケーション識別子「電子メール」は、電子メール・アプリケーション・サーバ（ＭＭ７）としてふるまうＭＭＳサービス・プロバイダ、モバイル・ユーザ端末から割り当てることが可能であり、（メッセージがインターネット（ＭＭ３）を介してＭＭＳリレイ／サーバに送信された場合）ＭＭＳリレイ／サーバから割り当てることも可能である。
【００１６】
本発明による方法を実行することができるために、ユーザ端末は、例えば、アプリケーション識別子の認識、又はアプリケーション識別子を備えたメッセージの提供に適切であるＭＭＳ外部アプリケーション、及びＭＭＳユーザ・アプリケーションを含む。
【００１７】
一加入者のユーザ・アプリケーションから別の加入者のユーザ・アプリケーションに、マルチメディア・メッセージ・サービスＭＭＳにより、メッセージを伝送するための通信システムは、本発明の方法によって動作する少なくとも１つのネットワーク・エレメント、及び本発明の範囲内に記載のユーザ端末を含む。
【図面の簡単な説明】
【００１８】
【図１】ＭＭＳシステムの参照レイアウトを示す図である。
【図２】ＭＭＳシステムを介した、電子メール・アプリケーション・サーバからユーザ端末への電子メールの、本発明による伝送を略示した図である。
【発明を実施するための形態】
【００１９】
以下では、本発明は、添付図面の図により、更に詳細に説明する。本発明の更なる特性及び効果は、添付図面及びその説明から生じる。
【実施例】
【００２０】
図１は、ＭＭＳシステムの個々のエレメント間に使用されるインタフェース及びＭＭＳシステムの基本レイアウトを示す。
【００２１】
第１のインタフェースＭＭ１は、ユーザ端末上に供給される、ＭＭＳユーザ・エージェント又はＭＭＳクライアントとも呼ばれるＭＭＳユーザ・アプリケーション１０から、中央装置、ＭＭＳリレイ／サーバ１２に伝送され、その逆に伝送されるために使用される。ＭＭＳユーザ・アプリケーション１０は、ユーザがマルチメディア・メッセージを編集し、表示し、又は処理するアプリケーション層の機能である。ＭＭＳリレイ／サーバは、着信マルチメディア・メッセージ及び発信マルチメディア・メッセージを記憶し、転送し、別々の通信システム間でメッセージを伝送する役割を担う。
【００２２】
インタフェースＭＭ２は、ＭＭＳリレイ／サーバ１２の内部インタフェースである。
【００２３】
インタフェースＭＭ３は、外部通信及びメッセージ・システムのサーバ（例えば、外部電子メール・サーバ１４、外部ファックス・サーバ１６、外部ＭＭＳサーバ１８、又は他の外部サーバ）と、ＭＭＳリレイ／サーバ１２との間のマルチメディア・メッセージの伝送に使用される。
【００２４】
インタフェースＭＭ４は、種々の通信システムのＭＭＳリレイ／サーバ１２又は２２間のマルチメディア・メッセージの伝送に使用される。例えば、外部ＭＭＳリレイ／サー場２２は、更なるＭＭＳユーザ・アプリケーション２４へのメッセージの伝送の役割を果たし得る。
【００２５】
インタフェースＭＭ５は、ユーザ・レジスタ（例えば、ホーム・データ・バンクＨＬＲ２６）、ＭＭＳリレイ／サーバ１２間の通信に使用される。マルチメディア・メッセージの伝送に重要なユーザ・データは、前述のユ―ザ・ホーム・データ・バンク２６に記憶される。
【００２６】
インタフェースＭＭ６は、ＭＭＳリレイ／サーバ１２と、種々のＭＭＳユーザ・データ・バンク２８との間の接続である。
【００２７】
インタフェースＭＭ７は、ＭＭＳリレイ／サーバ１２からＭＭＳ付加価値アプリケーションへのマルチメディア・メッセージの伝送、及びその逆の伝送に使用される。前述の付加価値アプリケーション又は付加価値サービス３０は、ＭＭＳプロバイダ又はサードパーティの更なるサービス（例えば、支払いを必要とする画像、ビデオ、又は音楽データ・セットのダウンロード・サービス）である。
【００２８】
インタフェースＭＭ８は、ＭＭＳプロバイダの後処理システム３２及びＭＭＳリレイ／サーバ１２間でデータを接続するための伝送に使用される。
【００２９】
インタフェースＭＭ９は、ＭＭＳリレイ／サーバ１２と、オンライン・アカウンティング・システム３４との間のメッセージの伝送に使用される。
【００３０】
インタフェースＭＭ１０は、ＭＭＳリレイ／サーバ１２と外部メッセージ・サービス制御機能ＭＳＣＦ（すなわち、例えば、コール番号の変換を行ったメッセージ・サービス制御点３６）との間のＭＭＳ特有の情報の伝送に使用される。
【００３１】
ＭＭＳシステムでは、現在まで、ＭＭＳクライアント１０が、外部サーバ１４から電子メールを受信することが可能であった。前述の電子メールは当初、外部サーバ１４により、ＭＭＳリレイ／サーバ１２に送信され、そこでＭＭＳ特有形式に変換され、次いで、ユーザ・アプリケーション１０に送信されている。
【００３２】
図２は、本発明による方法による、電子メールの伝送の例を示す。外部電子メール・アプリケーション・サーバ１４は、ＭＭ７インタフェースを介してＭＭＳリレイ／サーバ１２と接続される。これは、付加価値アプリケーションの形式でＭＭＳシステムに外部電子メール・サーバが関連付けられるということを意味する。ＭＭＳリレイ／サーバ１２は、いくつかのＭＭＳユーザを処理する。各ＭＭＳユーザは、１つには、ＭＭＳユーザ・アプリケーション４０ａ及び４０ｂ、並びに、電子メール・ユーザ・アプリケーション４２ａ及び３２ｂを含むユーザ端末装置３８ａ、３８ｂを有する。ＭＭＳユーザ・アプリケーション４０ａ、４０ｂは、ＭＭ１インタフェースを介してリレイ／サーバ１２と通信するよう接続される。
【００３３】
電子メール・メッセージ４６は、電子メール端末４１から、一方又は両方のＭＭＳユーザ端末装置３８ａ、３８ｂに伝送されるものとする。当初、電子メール４６は、適切な伝送又はトランスポート・プロトコル（例えば、電子メールに使用されるＳＭＰＴ）を介して電子メール・アプリケーション・サーバ１４に伝送される。そこでは、電子メールが、ＭＭＳユーザ端末装置宛であることが判定される。電子メールはよって、電子メール・アプリケーション・サーバ１４により、ＭＭＳリレイ／サーバ１２によって伝送される。そこでは、本発明により、それ自身のアプリケーション識別子４８が電子メール・メッセージ４６に割り当てられ、アプリケーション識別子４８によって識別される電子メール・メッセージ４６がＭＭＳメッセージ５０にパッケージングされる。よって、ＭＭＳメッセージ５０は、電子メール・メッセージ４６の伝送コンテナとして使用される。電子メール・メッセージ４６及び関連付けられたアプリケーション識別子４８を含むこの特定のＭＭＳメッセージ５０は、ＭＭＳリレイ／サーバ１２により、ユーザ端末装置３８ａ又は３８ｂによって転送される。当初、特定メッセージ５０は、当該加入者のＭＭＳユーザ・アプリケーション４０ａ又は４０ｂによって受信される。アプリケーション識別子４８により、ＭＭＳユーザ・アプリケーション４０ａ又は４０ｂは、前述のＭＭＳメッセージ５０が、汎用のＭＭＳメッセージとして扱うべきでないが、電子メール・アプリケーションに転送されなければならない電子メール４６を含む旨を認識する。ＭＭＳユーザ・アプリケーション４０ａ、４０ｂは前述のメッセージ５０を当該電子メール・ユーザ・アプリケーション４２ａ、４２ｂに転送し、これらは、ユーザのための電子メール・メッセージ４６の更なる処理を引き継ぐ。
【００３４】
同じ処理が、ユーザ端末装置３８ａ、３８ｂから送出される電子メール・メッセージの場合にあてはまる。電子メール・メッセージは、電子メール・ユーザ・アプリケーションにより、ＭＭＳユーザ・アプリケーションに転送され、そこで、アプリケーション識別子によってマーキングされ、ＭＭＳメッセージにおいてパッケージングされ、これは後にＭＭＳシステムに送信される。ＭＭＳメッセージは、そういうものとして扱われるものでないが、アドレス指定された電子メール受信者に転送され、そこで、適切な電子メール・アプリケーションによって処理される。
【００３５】
参照符号のリスト
１０  ＭＭＳユーザ・アプリケーションＡ
１２  ＭＭＳリレイ／サーバ
１４  外部電子メール・サーバ
１６  外部サーバ
１８  外部サーバ
２０  外部サーバ
２２  外部ＭＭＳリレイ／サーバ
２４  ＭＭＳユーザ・アプリケーションＢ
２６  ホーム・データ・バンク  ＨＬＲ
２８  ＭＭＳ  ユーザ・データ・バンク
３０  ＭＭＳ付加価値アプリケーション
３２  後処理システム
３４  オンライン・アカウンティング・システム
３６  メッセージング・サービス制御機能
３８ａ、３８ｂ  ユーザ端末装置
４０ａ、４０ｂ  ＭＭＳユーザ・アプリケーション
４２ａ、４２ｂ  電子メール・ユーザ・アプリケーション
４４  電子メール端末
４６  電子メール・メッセージ
４８  アプリケーション識別子
５０  ＭＭＳメッセージ
【手続補正２】
【補正対象書類名】特許請求の範囲
【補正対象項目名】全文
【補正方法】変更
【補正の内容】
【特許請求の範囲】
【請求項１】
加入者のユーザ・アプリケーション（１０）から別の加入者のユーザ・アプリケーション（４４）に、マルチメディア・メッセージ・サービスＭＭＳを使用してメッセージ（４６）を伝送する方法であって、前記メッセージ（４６）が、外部アプリケーションの形式で存在しており、そういうものとしてアプリケーション識別子（４８）によって識別され、前記アプリケーション識別子（４８）は前記メッセージ（４６）とともに伝送され、前記マルチメディア・メッセージ・サービスは、前記メッセージを伝送するために伝送システムとして前記外部アプリケーションによって使用され、前記メッセージ（４６）は、そういうものとして、前記マルチメディア・メッセージ・サービスのネットワーク・エレメントによって識別され、ＭＭＳメッセージ（５０）により、変更なしで前記マルチメディア・メッセージ・サービスを介して前記外部アプリケーション（４２ａ、４２ｂ）に転送され、
前記アプリケーション識別子（４８）によって分類される電子メールメッセージ（４６）は、前記マルチメディア・メッセージ・サービスの前記ネットワーク・エレメント（１２）に前記マルチメディア・メッセージ・サービスを介して伝送され、外部アプリケーションの形式でメッセージとして前記アプリケーション識別子（４８）によってそこで認識され、汎用ＭＭＳメッセージとして扱われないが、電子メール・アプリケーション・サーバ（１４）に伝送され、更に、アドレス指定された受信者に伝送される方法。
【請求項２】
請求項１記載の方法であって、電子メール・アプリケーション（４２ａ、４２ｂ）は前記外部アプリケーションとして使用される方法。
【請求項３】
請求項１又は２に記載の方法であって、前記アプリケーション識別子（４８）は、前記ＭＭＳメッセージ（５０）のメッセージ・ヘッド（ヘッダ）に記憶される方法。
【請求項４】
請求項１乃至３のうちの一項に記載の方法であって、前記アプリケーション識別子（４８）によって分類される電子メール・メッセージ（４６）は、前記マルチメディア・メッセージ・サービスの前記ネットワーク・エレメントに電子メール・アプリケーション・サーバ（１４）によって伝送され、外部アプリケーションの形式でメッセージとしてそこで認識され、前記ＭＭＳメッセージ（５０）において、前記マルチメディア・メッセージ・サービスを介して加入者の電子メール・ユーザ・アプリケーション（４２ａ、４２ｂ）に伝送される方法。
【請求項５】
請求項１乃至４のうちの一項に記載の方法であって、前記メッセージ（５０）はユーザ端末装置（３８ａ、３８ｂ）との間で伝送される方法。
【請求項６】
請求項５記載の方法であって、前記外部アプリケーションがインストールされたモバイル・ユーザ端末装置が前記ユーザ端末装置（３８ａ、３８ｂ）として使用される方法。
【請求項７】
マルチメディア・メッセージ・サービスを使用してメッセージ（４６、５０）を送信し、かつ／又は受信するためのユーザ端末装置（３８ａ、３８ｂ）であって、ＭＭＳユーザ・アプリケーション（４０ａ、４０ｂ）及び外部アプリケーション（４２ａ、４２ｂ）を含み、請求項１乃至６に記載の方法を実行するよう企図されたユーザ端末装置。
【請求項８】
請求項７記載のユーザ端末装置であって、前記外部アプリケーション（４２ａ、４２ｂ）は電子メール・アプリケーションであるユーザ端末装置。
【請求項９】
請求項７記載のユーザ端末装置であって、ユーザ端末装置（３８ａ、３８ｂ）はモバイル・ユーザ端末装置であるユーザ端末装置。
【請求項１０】
別の加入者のユーザ・アプリケーションに前記マルチメディア・メッセージ・サービスＭＭＳを使用して加入者のユーザ・アプリケーション（４２ａ、４２ｂ）からメッセージ（４６，５０）を伝送する通信システムであって、請求項１乃至６記載の方法によって動作する、少なくとも１つのネットワーク・エレメント（１２）を含み、請求項７乃至９のうちの一項によって動作する少なくとも１つのユーザ端末装置（３８ａ、３８ｂ）を含む通信システム。
【国際調査報告】
2010541083.tif 000005
2010541083.tif 000006
2010541083.tif 000007
2010541083.tif 000008
2010541083.tif 000009
2010541083.tif 000010